(57)【特許請求の範囲】
【請求項１】
可撓性材料で成形されたずり落ち防止体を備え、
前記ずり落ち防止体は、
弾性変形するこめかみ当てパッド部と、
前記こめかみ当てパッド部の両端に成形される一対の取付部とを有し、
前記一対の取付部は、眼鏡フレームのテンプルに長さ方向に移動可能に取り付けられ、
前記眼鏡フレームの両側テンプルの内面側に、前記こめかみ当てパッド部をこめかみ部分へ弾力的に当接可能であることを特徴とする眼鏡フレームずり落ち防止具。
【請求項２】
前記こめかみ当てパッド部は、多数の孔を有することを特徴とする請求項１に記載の眼鏡フレームずり落ち防止具。
【請求項３】
前記一対の取付部は、前記眼鏡フレームのテンプルに着脱可能であることを特徴とする請求項１または請求項２に記載の眼鏡フレームずり落ち防止具。
【請求項４】
請求項１乃至請求項３のいずれか１項に記載の眼鏡フレームずり落ち防止具を備えることを特徴とする眼鏡フレーム。
【発明の詳細な説明】
【技術分野】
【０００１】
この発明は、眼鏡フレームを装着した状態でずり落ちが生じないようにした眼鏡フレームずり落ち防止及び眼鏡フレームに関する。
【背景技術】
【０００２】
一般的な眼鏡フレームは、レンズを取り付けるフレーム本体の両側に、つめと丁番を介して一対のテンプルをフレーム本体に重なる折り畳み可能に取り付け、フレーム本体に一対の鼻当てパッドを設けると共に、テンプルの後端に耳当てを設けた構造になっている。
【０００３】
このような眼鏡フレームのフレーム本体にレンズを取り付けて組み立てられた眼鏡は、両テンプルを顔の両側に位置させて後端の耳当てを耳に掛け、フレーム本体の鼻当てパッドを鼻の上に載せることで使用される。
【０００４】
ところで、従来の眼鏡は、両テンプルの耳当てとフレーム本体の鼻当てパッドで顔に対して止まることになるが、眼鏡はレンズの重量が重く、前に片寄った重量配分となり、どうしても前方にずり落ちる。
【０００５】
特に、汗をかいたような場合、鼻に対して鼻当てパッドが滑り易くなり、ずり落ちが頻繁に発生する。また、眼鏡は前に片寄った重量配分となっているので、眼鏡の重量が鼻にかかり、眼鏡を長い時間着用していると鼻が痛くなることがある。
【０００６】
更に、眼鏡フレームの購入に際しては、両側テンプルの間隔が顔の幅よりも狭いと、装着時にこめかみ部分が圧迫を受け、苦痛を感じることになるため、両側テンプルの間隔が顔の幅に適合するものを選択する必要があり、実際には両側テンプルの間隔は顔の幅よりも少し広くなるので、耳当て部分でのずり落ち防止機能を期待することはできない。
【０００７】
そこで、両側のテンプルに取り付けたずり落ち防止部材で、こめかみ部分の位置を両側から挟むようにし、ずり落ち防止が確実に得られると共に、鼻に対する眼鏡の負担を少なくして長い時間の着用にも支障がない眼鏡フレームが提案されている（特許文献１〜５）。
【先行技術文献】
【特許文献】
【０００８】
【特許文献１】特開２００４−７７６３７号公報
【特許文献２】特開２００２−５５３１４号公報
【特許文献３】特開２００１−２０１７２１号公報
【特許文献４】特開２０００−５６２７６号公報
【特許文献５】実開昭６３−５８２１６号公報
【発明の概要】
【発明が解決しようとする課題】
【０００９】
ところで、従来のずり落ち防止部材は、両側のテンプルに固定して取り付けられており、ずり落ち防止部材が弾性的に両側テンプルに支持されていても、ずり落ち防止部材が移動できないために、眼鏡とこめかみ部分との間隔の変化に追従できず、装着時にこめかみ部分が圧迫を受け、苦痛を感じることがある。
【００１０】
また、ずり落ち防止部材は、両側テンプルの長さ方向に移動ができない構造なので、眼鏡とこめかみ部分の隙間に、使用の都度、容易にフィットさせることができず、フィットする状態のまま眼鏡を装着するのは、引っ掛かりができて装着に手間取るなどの不具合がある。
【００１１】
この発明は、かかる実情に鑑みてなされたもので、眼鏡とこめかみ部分の隙間に容易にフィットさせることが可能な眼鏡フレームずり落ち防止及び眼鏡フレームを提供することを目的としている。
【課題を解決するための手段】
【００１２】
前記課題を解決し、かつ目的を達成するために、この発明は、以下のように構成した。
【００１３】
請求項１に記載の発明は、可撓性材料で成形されたずり落ち防止体を備え、前記ずり落ち防止体は、弾性変形するこめかみ当てパッド部と、前記こめかみ当てパッド部の両端に成形される一対の取付部とを有し、前記一対の取付部は、眼鏡フレームのテンプルに長さ方向に移動可能に取り付けられ、前記眼鏡フレームの両側テンプルの内面側に、前記こめかみ当てパッド部をこめかみ部分へ弾力的に当接可能であることを特徴とする眼鏡フレームずり落ち防止具である。
【００１４】
請求項２に記載の発明は、前記こめかみ当てパッド部は、多数の孔を有することを特徴とする請求項１に記載の眼鏡フレームずり落ち防止具である。
【００１５】
請求項３に記載の発明は、前記一対の取付部は、前記眼鏡フレームのテンプルに着脱可能であることを特徴とする請求項１または請求項２に記載の眼鏡フレームずり落ち防止具である。
【００１６】
請求項４に記載の発明は、請求項１乃至請求項３のいずれか１項に記載の眼鏡フレームずり落ち防止具を備えることを特徴とする眼鏡フレームである。
【発明の効果】
【００１７】
前記構成により、この発明は、以下のような効果を有する。
【００１８】
請求項１に記載の発明では、眼鏡フレームずり落ち防止具の一対の取付部は、眼鏡フレームのテンプルに長さ方向に移動可能に取り付けられ、眼鏡フレームの両側テンプルの内面側に、こめかみ当てパッド部をこめかみの部分へ弾力的に当接可能であり、一対の取付部がテンプルに固定せず、テンプルの長さ方向に移動ができる構造なので、眼鏡を装着後にテンプルの長さ方向に前後させて、眼鏡とこめかみの部分の隙間に、容易にフィットさせることができ、装着が容易になる。また、眼鏡フレームの両側テンプルに取り付けた使用状態では、こめかみ当てパッド部が両側テンプルの中間に支持点があるので、両側テンプルの後端との２点で眼鏡を支えることができ、鼻に乗せなくて済むため、痕が残ったり、ズレ落ち感がなくなる。また、こめかみ当てパッド部によって接触面積が大きくできるので、保持力が高く、たとえば頭を逆さにしてもずれない。また、こめかみ当てパッド部は、眼鏡とこめかみの部分との間隔の変化に追従でき、接触面積の維持に寄与することができる。
【００１９】
請求項２に記載の発明では、こめかみ当てパッド部は、多数の孔によって、汗かき防止や摩擦抵抗の向上が可能である。
【００２０】
請求項３に記載の発明では、一対の取付部は、眼鏡フレームのテンプルに着脱可能であり、使用する眼鏡フレームに取り付けることができる。
【００２１】
請求項４に記載の発明では、請求項１乃至請求項３のいずれか１項に記載の眼鏡フレームずり落ち防止具を備え、眼鏡とこめかみ部分の隙間に容易にフィットさせて使用することができる。
【図面の簡単な説明】
【００２２】
【図１】眼鏡フレームずり落ち防止具の正面図である。
【図２】眼鏡フレームずり落ち防止具の背面図である。
【図３】眼鏡フレームの正面図である。
【図４】眼鏡フレームの使用状態を示す図である。
【図５】眼鏡フレームずり落ち防止具の正面図である。
【図６】眼鏡フレームの使用状態を示す図である。
【発明を実施するための形態】
【００２３】
以下、この発明の眼鏡フレームずり落ち防止具及び眼鏡フレームの実施の形態について説明する。この発明の実施の形態は、発明の最も好ましい形態を示すものであり、この発明はこれに限定されない。
【００２４】
［第１の実施の形態］
（眼鏡フレームずり落ち防止具）
この眼鏡フレームずり落ち防止具を、図１及び図２に基づいて説明する。図１は眼鏡フレームずり落ち防止具の正面図、図２は眼鏡フレームずり落ち防止具の背面図である。
【００２５】
この眼鏡フレームずり落ち防止具１は、樹脂などの可撓性材料で成形されたずり落ち防止体２を備え、可撓性材料は透明体でも、半透明体でも、あるいは着色されたものでも良い。
【００２６】
ずり落ち防止体２は、弾性変形するこめかみ当てパッド部３と、こめかみ当てパッド部３の両端に成形される一対の取付部４とを有し、こめかみ当てパッド部３と一対の取付部４は一体に成形される。
【００２７】
こめかみ当てパッド部３は、眼鏡とこめかみの部分との間隔の変化に追従でき、また広幅に成形されてこめかみの部分との接触面積を確保している。こめかみ当てパッド部３には、多数の孔５を有し、この多数の孔５によって汗かき防止や摩擦抵抗の向上を可能としている。
【００２８】
一対の取付部４は、眼鏡フレームのテンプルに長さ方向に移動可能に取り付けられ、この一対の取付部４はテンプルに巻き付けて加熱して固定しても良いし、接着剤によって固定しても良い。
【００２９】
この一対の取付部４を、眼鏡フレームのテンプルに長さ方向に移動可能に取り付けることによって、眼鏡フレームの両側テンプルの内面側に、こめかみ当てパッド部３をこめかみ部分へ弾力的に当接可能である。
【００３０】
（眼鏡フレーム）
この眼鏡フレームを、図３及び図４に基づいて説明する。図３は眼鏡フレームの平面図、図４は眼鏡フレームの使用状態を示す図である。
【００３１】
この眼鏡フレーム１０には、眼鏡フレームずり落ち防止具１の一対の取付部４が、眼鏡フレーム１０のテンプル１１に長さ方向に移動可能に取り付けられている。この眼鏡フレーム１０は、両テンプル１１を顔の両側に位置させて後端１１ａの耳当てを耳に掛け、鼻当てパッド１２を鼻の上に載せることで顔に装着すると、両テンプル１１の内面側に取り付けた眼鏡フレームずり落ち防止具１のこめかみ当てパッド部３が、こめかみに対して両側から挟むように適正な圧力で弾力的に当接する。
【００３２】
この眼鏡フレームずり落ち防止具１は、一対の取付部４の取り付けによって、こめかみ当てパッド部３が眼鏡フレーム１０の両側テンプル１１の内面側に位置し、こめかみ当てパッド部３がこめかみの部分へ適正な弾力によって当接している。
【００３３】
このように、眼鏡フレーム１０の両側テンプル１１に眼鏡フレームずり落ち防止具１を取り付けて使用するが、眼鏡フレームずり落ち防止具１は、一対の取付部４がテンプル１１に固定せず、テンプル１１の長さ方向に移動ができる構造なので、眼鏡を装着後にテンプル１１の長さ方向に前後させて、眼鏡とこめかみの部分の隙間に、容易にフィットさせることができ、装着が容易になる。
【００３４】
また、図４に示す使用状態では、こめかみ当てパッド部３によって両側テンプル１１の中間に支持点があるので、両側テンプル１１の後端１１ａとの２点で眼鏡を支えることができ、鼻に乗せなくて済むため、痕が残ったり、ズレ落ち感がなくなる。
【００３５】
また、こめかみ当てパッド部３によって接触面積が大きくできるので、保持力が高く、たとえば頭を逆さにしてもずれない。また、こめかみ当てパッド部３は、眼鏡とこめかみの部分との間隔の変化に追従でき、眼鏡着用者の顔の条件に合わせて自動的に矢印Ａ方向及び矢印Ｂ方向へ移動して位置調整することができ、しかも接触面積の維持に寄与することができる。
【００３６】
［第２の実施の形態］
（眼鏡フレームずり落ち防止具）
この眼鏡フレームずり落ち防止具を、図５及び図６に基づいて説明する。図５は眼鏡フレームずり落ち防止具の背面図である。
【００３７】
この眼鏡フレームずり落ち防止具１は、樹脂などの可撓性材料で成形されたずり落ち防止体２を備え、可撓性材料は透明体でも、半透明体でも、あるいは着色されたものでも良く、この実施の形態では、第１の実施の形態と同じ構成は同じ符号を付して説明を省略する。
【００３８】
ずり落ち防止体２は、弾性変形するこめかみ当てパッド部３と、こめかみ当てパッド部３の両端に成形される一対の取付部４とを有し、こめかみ当てパッド部３と一対の取付部４は一体に成形され、一対の取付部４はそれぞれ係合孔４ａと係合凸部４ｂを有する。
【００３９】
一対の取付部４は、眼鏡フレームのテンプルに当てがい巻き付けるようにして係合孔４ａに係合凸部４ｂを係合させてテンプルに長さ方向に移動可能に取り付ける。眼鏡フレームのテンプルから取り外すには、係合孔４ａから係合凸部４ｂを取り外すことでよく、一対の取付部４は、眼鏡フレームのテンプルに着脱可能である。
【００４０】
（眼鏡フレーム）
この眼鏡フレームを、図６に基づいて説明する。図６は眼鏡フレームの使用状態を示す図である。
【００４１】
この眼鏡フレーム１０の両側テンプル１１に眼鏡フレームずり落ち防止具１を取り付けて使用し、眼鏡フレームずり落ち防止具１は、一対の取付部４を眼鏡フレーム１０のテンプル１１に当てがい巻き付けるようにして係合孔４ａに係合凸部４ｂを係合させてテンプル１１に長さ方向に移動可能に取り付ける。
【００４２】
眼鏡フレームずり落ち防止具１を眼鏡フレームのテンプル１１から取り外すには、係合孔４ａから係合凸部４ｂを取り外すことでよく、一対の取付部４を眼鏡フレーム１０のテンプル１１から容易に取り外すことができる。このように、一対の取付部４は、眼鏡フレーム１０のテンプル１１に着脱可能であり、使用する眼鏡フレーム１０に取り付けることができる。
【産業上の利用可能性】
【００４３】
この発明は、眼鏡フレームを装着した状態でずり落ちが生じないようにした眼鏡フレームずり落ち防止及び眼鏡フレームに適用可能であり、眼鏡とこめかみ部分の隙間に容易にフィットさせることが可能である。
【符号の説明】
【００４４】
１  眼鏡フレームずり落ち防止具
２  ずり落ち防止体
３  こめかみ当てパッド部
４  一対の取付部
４ａ  係合孔
４ｂ  係合凸部
５  孔
１０  眼鏡フレーム
１１  テンプル
【要約】
【課題】眼鏡とこめかみ部分の隙間に容易にフィットさせることが可能である。
【解決手段】眼鏡フレームずり落ち防止具１は、可撓性材料で成形されたずり落ち防止体２を備え、ずり落ち防止体２は、弾性変形するこめかみ当てパッド部３と、こめかみ当てパッド部３の両端に成形される一対の取付部４とを有し、一対の取付部４は、眼鏡フレーム１０のテンプル１１に長さ方向に移動可能に取り付けられ、眼鏡フレーム１０の両側テンプル１１の内面側に、こめかみ当てパッド部３をこめかみ部分へ弾力的に当接可能である。
【選択図】図１【図１】
0004836152.tif 000002
【図２】
0004836152.tif 000003
【図３】
0004836152.tif 000004
【図４】
0004836152.tif 000005
【図５】
0004836152.tif 000006
【図６】
0004836152.tif 000007